(57)【要約】【課題】配線媒体数の削減を図るとともに、配線形態の煩雑さを抑制することにより、施工性の向上と施エコストの削減を実現する光ネットワークシステムを提供する。【解決手段】光ネットワーク１４−１〜１４−３上の１本の光ファイバを使用して異なるサービスに係わる複数の光信号をサービスごとに異なる波長に割り当てて波長分割多重して情報分電盤１１から各部屋Ｒ１〜Ｒ３の光多重分配器２１−１〜２１−３へ伝送するようにしている。また、情報分電盤１１は、放送信号を電気信号から光信号に変換するＢ−ＯＮＵ１１４を備えている。さらに、情報分電盤１１は、アクセスネットワーク１３から到来したＩＰサービスの光信号をＢ−ＯＮＵ１１４により電気信号に変換し、ルータ１１５によりパーソナル・コンピュータＰＣ１，ＰＣ２、ＩＰ電話機ＩＰＴへの電気信号に振り分けて、ＯＨＴ１１６により各電気信号を時分割多重して波長λ１の光信号に変換している。【選択図】      図１
2006295495.tif 000002
【特許請求の範囲】
【請求項１】
屋内に配置され、それぞれ互いに異なる複数の放送・通信サービスに対応した複数の光信号を波長分割多重して１つの光ファイバにより伝送する光ネットワークと、
この光ネットワークの一端側に接続され、かつ前記複数の放送・通信サービスに対応した複数の伝送路を接続し、これら複数の伝送路から到来した複数の光信号を放送・通信サービスごとに異なる波長に割り当てて波長分割多重して前記光ネットワークに出力すると共に、前記光ネットワークから到来する光信号を対応する伝送路に出力する情報分電盤と、
前記光ネットワークの他端側に接続され、前記光ネットワークから到来し波長分割多重された複数の波長成分の中から被接続機器に対応する波長成分の光信号を抽出する端末装置とを具備したことを特徴とする光ネットワークシステム。
【請求項２】
前記端末装置は複数備え、
前記光ネットワークを前記複数の端末装置にそれぞれ分配して接続するための光スプリッタをさらに備えることを特徴とする請求項１記載の光ネットワークシステム。
【請求項３】
前記光ネットワークの光ファイバを介して伝送される光信号は、ＣＷＤＭ(Coarse Wavelength Division Multiplex)システムの波長帯、および既知の光源で使用される波長帯のうち少なくとも一つの波長帯に属する波長を有することを特徴とする請求項１または２記載の光ネットワークシステム。
【請求項４】
前記複数の端末装置は、それぞれ予め複数の放送・通信サービスに対応し、接続される機器に応じて、前記光ネットワークから到来し波長分割多重された複数の波長成分の中から任意の波長成分の光信号を抽出する機能を有することを特徴とする請求項２記載の光ネットワークシステム。
【請求項５】
前記伝送路を介して伝送され放送サービスに対応する信号が電気信号であるとき、
前記情報分電盤は、前記放送サービスに対応する電気信号を光信号に変換して前記通信サービスに対応する光信号とともに波長分割多重して前記光ネットワークに出力する機能を有することを特徴とする請求項１記載の光ネットワークシステム。
【請求項６】
前記情報分電盤は、通信サービスに対応する複数の光信号を複数の電気信号に変換して、これら複数の電気信号それぞれの送信先または信号フォーマットを解析し、この解析結果に基づいて複数の電気信号を送信先または信号フォーマットごとに異なる時間位置で時分割多重し光信号に変換して前記光ネットワークまたは前記通信サービスに対応する伝送路へ送出する機能を有することを特徴とする請求項１または２記載の光ネットワークシステム。
【請求項７】
前記端末装置は、前記光ネットワークからの光信号を電気信号に変換して被接続機器に送出し、被接続機器からの電気信号を光信号に変換して前記光ネットワークに送出する機能を有することを特徴とする請求項１記載の光ネットワークシステム。
【請求項８】
それぞれ互いに異なる複数の放送・通信サービスに対応した複数の光信号を波長分割多重して１つの光ファイバにより伝送する光ネットワークを接続する第１の端子と、
前記複数の放送・通信サービスに対応した複数の伝送路を接続する第２の端子と、
前記複数の伝送路から到来した複数の光信号を放送・通信サービスごとに異なる波長に割り当てて波長分割多重して前記光ネットワークに出力すると共に、前記光ネットワークから到来する光信号を対応する伝送路に出力する信号処理手段とを具備したことを特徴とする情報分電盤。
【請求項９】
前記伝送路を介して伝送される放送サービスに対応する信号が電気信号であるとき、
前記信号処理手段は、前記放送サービスに対応する電気信号を光信号に変換して前記通信サービスに対応する光信号とともに波長分割多重して前記光ネットワークに出力する機能を有することを特徴とする請求項８記載の情報分電盤。
【請求項１０】
前記信号処理手段は、通信サービスに対応する複数の光信号を複数の電気信号に変換して、これら複数の電気信号それぞれの送信先及び信号フォーマットを解析し、この解析結果に基づいて複数の電気信号を送信先及び信号フォーマットごとに異なる時間位置で時分割多重し光信号に変換して前記光ネットワークまたは前記通信サービスに対応する伝送路へ送出する機能を有することを特徴とする請求項８記載の情報分電盤。
【発明の詳細な説明】
【技術分野】
【０００１】
この発明は、主に小規模住宅あるいは戸建住宅などのユーザ宅内において、サービスやユーザにそれぞれ波長を割り当て、一本の光ファイバを介して波長分割多重伝送する光ネットワークシステムに関するものである。
【０００２】
本発明の光ネットワークシステムは、例えば各部屋に伝送する放送サービスとＩＰ(Internet Protocol)サービス(インターネット接続サービス)の光信号に対してすべて異なる波長を割り当ててＷＤＭ伝送する場合などに適用される。
【背景技術】
【０００３】
近年、小規模住宅および戸建住宅において、光ファイバを用いたＩＰサービス(インターネット接続サービス)を利用することができるようになっている。また、ＶＨＦ放送、ＵＨＦ放送、ＢＳ放送、ＣＳ放送、ＣＳ１１０度放送、ＣＡＴＶ放送等といった異なる放送サービスも利用することができるようになっている。
【０００４】
この場合、アクセスネットワークからのＩＰサービスの光信号はユーザ宅内のある部屋においてＯＮＵ(光終端装置)を使用して電気信号に変換される。このＯＮＵから、パーソナル・コンピュータなどの端末まではＵＴＰケーブル(アンツイストペアケーブル)などを用いて配線される。また、各部屋にそれぞれ端末がある場合、ルータなどを用いてＩＰアドレスを割り当て、ＵＴＰケーブルなどを用いて配線される。
【０００５】
一方、複数の放送サービスが混在する複数の信号伝送路を一箇所に集中する情報分電盤が使用される。この情報分電盤は、住宅内の天井裏または壁裏に配置され、そこから各部屋にＶＨＦ／ＵＨＦ兼用同軸ケーブル、ＢＳ／ＣＳ兼用同軸ケーブル、ＣＡＴＶ用同軸ケーブルが敷設され、各同軸ケーブルの端末にそれぞれの部屋で必要なチューナ等の接続機器に対応する放送用コンセントが取り付けられる。
【０００６】
上記情報分電盤は、増幅器および分配器を備え、入力信号を増幅器にて充分な分配信号が得られるレベルまで増幅し、この増幅信号を分配器にて分配して各同軸ケーブルに出力する。ここで、従来の技術の例として配線システム(例えば、特許文献１)がある。このシステムは放送信号の選局部と切り替え部を含むヘッドエンドを用いて、同軸ケーブルの本数を少なくなるようにしている。
【特許文献１】特許第３０４２３３６号。
【発明の開示】
【発明が解決しようとする課題】
【０００７】
ところで、ＩＰサービスをＵＴＰケーブルにより配線を行うと、ＵＴＰケーブルの種類により伝送帯域が決定される。そのため、伝送速度を変更する場合に、柔軟性や拡張性の面から負担が多くなる。また、ＵＴＰケーブルはコネクタ成端の作業性や曲げ耐性を含む施工性が低いため、施エコストが増大する。
【０００８】
一方、異なる複数の放送信号を同軸ケーブルにより配線を行うと、放送サービスの数に応じて同軸ケーブルの本数が必要になる。そのため、同軸ケーブルを敷設する場合に、コスト性や作業性の面から負担が多くなる。
【０００９】
また、ＶＨＦ放送とＢＳ放送の場合のように異なる伝送帯域をもつ放送サービスを一本の同軸ケーブルを用いて伝送することは可能であるが、この場合には各伝送帯域によって伝送損失が異なるため、増幅器や分配器を伝送距離や分岐数に応じて配置しなければならない。
【００１０】
さらに、上記特許文献１において、ケーブルを他のサービスと共有するため端末コントローラ等の機器が必要となる。また、電気信号を用いるので、周辺へのノイズの発生や、周辺ノイズの影響を受ける等の問題がある。
【００１１】
そこで、この発明の目的は、配線媒体数の削減を図るとともに、配線形態の煩雑さを抑制することにより、施工性の向上と施エコストの削減を実現する光ネットワークシステム及び情報分電盤を提供することにある。
【課題を解決するための手段】
【００１２】
この発明は、上記目的を達成するために、以下のように構成される。  
（１）屋内に配置され、それぞれ互いに異なる複数の放送・通信サービスに対応した複数の光信号を波長分割多重して１つの光ファイバにより伝送する光ネットワークと、この光ネットワークの一端側に接続され、かつ複数の放送・通信サービスに対応した複数の伝送路を接続し、これら複数の伝送路から到来した複数の光信号を放送・通信サービスごとに異なる波長に割り当てて波長分割多重して光ネットワークに出力すると共に、光ネットワークから到来する光信号を対応する伝送路に出力する情報分電盤と、光ネットワークの他端側に接続され、光ネットワークから到来し波長分割多重された複数の波長成分の中から被接続機器に対応する波長成分の光信号を抽出する端末装置とを備えるようにしたものである。
【００１３】
（１）の発明によれば、光ネットワーク上の１本の光ファイバを使用して異なるサービスに係わる複数の光信号が波長分割多重されて情報分電盤から端末装置へ伝送されるので、サービスごとの伝送路を別々に敷設する必要がなく、その分情報分電盤と端末装置との間を接続する伝送路を減らしてシステムの配線構造を簡素化することができる。これにより、サービスの種類や速度の違いによる配線形態の煩雑さを抑制することができ、さらに施工性の向上と施工コストの削減を実現することができる。また、光ファイバを介して伝送できる波長は無限にあるため、波長数を限定することなく利用することができる。
【００１４】
（２）端末装置は複数備え、光ネットワークを複数の端末装置にそれぞれ分配して接続するための光スプリッタをさらに備えることを特徴とする。  
（２）の発明によれば、光ネットワーク上の１本の光ファイバを使用して異なるサービスに係わる複数の光信号が波長分割多重されて情報分電盤から複数の端末装置へ伝送されるので、１本の光ファイバを複数の端末装置により共用でき、これによりさらに施工性の向上と施工コストの削減を実現することができる。
【００１５】
（３）光ネットワークの光ファイバを介して伝送される光信号は、ＣＷＤＭ(Coarse Wavelength Division multiplex)システムの波長帯、および既知の光源で使用される波長帯のうち少なくとも一つの波長帯に属する波長を有することを特徴とする。  
（３）の発明によれば、電気信号を光信号に変換する光源として、ＣＷＤＭ伝送システムで用いられる分布帰還型レーザ(ＤＦＢ−ＬＤ)あるいはファブリ・ペロー型レーザ(ＦＰ−ＬＤ)、および６５０ｎｍ帯のＤＶＤ用ピックアップ光源、７８０ｎｍ帯のＣＤ用ピックアップ光源、８５０ｎｍ帯のＬＡＮ用光源、特に面発光型レーザ(ＶＣＳＥＬ)、を利用することにより、大幅にコスト低減された経済的なシステムを構成することができる。
【００１６】
（４）複数の端末装置は、それぞれ予め複数の放送・通信サービスに対応し、接続される機器に応じて、光ネットワークから到来し波長分割多重された複数の波長成分の中から任意の波長成分の光信号を抽出する機能を有することを特徴とする。  
（４）の発明によれば、複数の端末装置をそれぞれ、予め複数の放送・通信サービスに対応させておき、接続される機器に応じて選択設定できるようにしておくことで、各部屋のサービスの種類、速度、端末に応じて光ファイバで送られてくる信号から任意の波長を取り出すことができる。
【００１７】
（５）伝送路を介して伝送され放送サービスに対応する信号が電気信号であるとき、情報分電盤は、放送サービスに対応する電気信号を光信号に変換して通信サービスに対応する光信号とともに波長分割多重して光ネットワークに出力する機能を有することを特徴とする。  
（５）の発明によれば、情報分電盤に電気信号を光信号に変換する機能を持たせることで、別途に電気／光変換器を用意する必要がなく、既存のアンテナにより受信された放送信号を取り扱うことが可能となる。
【００１８】
（６）情報分電盤は、通信サービスに対応する複数の光信号を複数の電気信号に変換して、これら複数の電気信号それぞれの送信先または信号フォーマットを解析し、この解析結果に基づいて複数の電気信号を送信先または信号フォーマットごとに異なる時間位置で時分割多重し光信号に変換して光ネットワークまたは通信サービスに対応する伝送路へ送出する機能を有することを特徴とする。  
（６）の発明によれば、各端末装置にそれぞれに接続される被接続機器への通信信号の信号フォーマットや被接続機器からの通信信号の送信先及びその信号フォーマットを情報分電盤で認識させることが可能となる。また、各端末装置への被接続機器宛の通信信号が同一波長上で時間位置を異ならせて光ネットワーク上で伝送される。
【発明の効果】
【００１９】
以上詳述したようにこの発明によれば、例えば各部屋にそれぞれ光伝送される光信号に対してすべて異なる波長を割り当て、一本の光ファイバを介してＷＤＭ伝送できる光ネットワークシステム及び情報分電盤を提供することができる。
【００２０】
また、ＩＰサービスと放送サービスの光信号に対して異なる波長を割り当て、一本の光ファイバを介してＷＤＭ伝送し、光スプリッタを用いて各部屋に光配線することができる光ネットワークシステム及び情報分電盤を提供することができる。
【発明を実施するための最良の形態】
【００２１】
以下、この発明の実施形態について図面を参照して詳細に説明する。  
図１は、この発明の一実施形態として、住宅ＨＭ内に適用される光ネットワークシステムの構成を示すものであり、１１は情報分電盤である。なお、ここでは説明を簡単にするため、情報分電盤１１の入力端子を１端子、入出力端子を４端子とする。
【００２２】
この実施形態では、情報分電盤１１の入力端子にブースタ１２を接続し、第１入出力端子に光ファイバから成るアクセスネットワーク１３を接続し、第２入出力端子に光ネットワーク１４を光スプリッタ１１１により分配した光ネットワーク１４−１を接続し、第３入出力端子に光ネットワーク１４−２を接続し、第４入出力端子に光ネットワーク１４−３を接続している。
【００２３】
ブースタ１２は、ＢＳ／ＣＳ１１０度放送用アンテナ１５と、ＶＨＦ用アンテナ１６で受信される放送信号及びＵＨＦ用アンテナ１７で受信される放送信号を混合するＵ／Ｖ混合器１８とを接続している。そして、ＢＳ／ＣＳ１１０度放送用アンテナ１５、ＶＨＦ用アンテナ１６及びＵＨＦ用アンテナ１７で受信された放送信号は、ブースタ１２を介して情報分電盤１１に供給される。
【００２４】
アクセスネットワーク１３は、情報分電盤１１から住宅ＨＭの屋外に配置される屋外キャビネット１９を介して外部へ引き出され、ＩＰサービスに対応する光信号を伝送する。
【００２５】
光ネットワーク１４−１〜１４−３は、情報分電盤１１から各部屋Ｒ１〜Ｒ３にそれぞれ敷設され、その端末に各部屋Ｒ１〜Ｒ３で必要な接続機器に対応する端末装置としての光多重／分配器２１−１〜２１−３が接続される。また、各部屋Ｒ１〜Ｒ３では、光多重／分配器２１−１〜２１−３に光アウトレット２２−１〜２２−３を接続している。
【００２６】
光多重／分配器２１−１は、例えば互いに異なる波長λ１，λ３を抽出するための光フィルタを備えており、光ネットワーク１４−１から到来する光信号の中から波長λ１，λ３の光信号を抽出して光アウトレット２２−１へ出力し、また光アウトレット２２−１から送られた波長λ２の光信号を光ネットワーク１４−１に送出する。なお、光多重／分配器２１−２，２１−３についても、上記光多重／分配器２１−１と同様である。
【００２７】
光アウトレット２２−１は、ＩＰ接続用コネクタ２２ａと、テレビジョン接続用コネクタ２２ｂとを備えている。例えば部屋Ｒ１において、ＩＰ接続用コネクタ２２ａにはパーソナル・コンピュータＰＣ１が接続され、光多重／分配器２１−１から送られてくる波長λ１の光信号をパーソナル・コンピュータＰＣ１に出力し、パーソナル・コンピュータＰＣ１から送られてくる波長λ２の光信号を光多重／分配器２１−１に出力する。また、テレビジョン接続用コネクタ２２ｂにはテレビジョン受像機ＴＶ１が接続され、光多重／分配器２１−１から送られてくる波長λ３の光信号を電気信号に変換してテレビジョン受像機ＴＶ１に出力する。
【００２８】
なお、光アウトレット２２−２，２２−３についても、上記光アウトレット２２−１と同様である。また、各部屋Ｒ１〜Ｒ３に備えられるパーソナル・コンピュータＰＣ１，ＰＣ２、ＩＰ電話機ＩＰＴには、ＩＰサービスの光信号をそれぞれ割り当てられた異なる時間間隔により受光し、電気信号に変換するＯＨＵ(Optical Home Unit)が備えられる。
【００２９】
ところで、上記情報分電盤１１において、ブースタ１２から出力される放送信号は、Ｖ−ＭＣ(Video-Media Converter)１１２により電気信号から波長λ３の光信号に変換されて光分配／多重器１１３に供給される。
【００３０】
一方、アクセスネットワーク１３により外部から送られてくるＩＰサービスの光信号は、Ｂ−０ＮＵ（Broadband-Optical Network Unit）１１４により光信号から電気信号に変換され、ルータ１１５により各パーソナル・コンピュータＰＣ１，ＰＣ２、ＩＰ電話機ＩＰＴへの電気信号に振り分けられる。以後、ＯＨＴ（Optical Home Terminal）１１６によりパーソナル・コンピュータＰＣ１，ＰＣ２、ＩＰ電話機ＩＰＴへの各電気信号が時分割多重され波長λ１の光信号に変換された後、光分配／多重器１１３に供給される。
【００３１】
なお、ルータ１１５には、パーソナル・コンピュータＰＣ１，ＰＣ２、ＩＰ電話機ＩＰＴにそれぞれ割り当てられるＩＰアドレスや信号フォーマットを示すルーティング情報が記憶されている。つまり、ルータ１１５は、ルーティング情報を参照することで、Ｂ−０ＮＵ１１４からの電気信号がパーソナル・コンピュータＰＣ１，ＰＣ２、ＩＰ電話機ＩＰＴへの電気信号であるか否かを判定することができる。
【００３２】
光分配／多重器１１３は、ＩＰ系下りの光信号と放送サービスに対応する光信号とを波長分割多重して光ネットワーク１４の１本の光ファイバにより各部屋Ｒ１〜Ｒ３へ送出する。
【００３３】
さらに、上記情報分電盤１１において、光ネットワーク１４により送られてきたＩＰ系上りの光信号（波長λ２）は、光分配／多重器１１３により波長ごとに分配されＯＨＴ１１６に送られて電気信号に変換され、ルータ１１５により上位ネットワークへのルーティング、つまりルータ１１５自身のＩＰアドレスへの変換が行なわれた後、Ｂ−ＯＮＵ１１４により電気信号から光信号に変換されてアクセスネットワーク１３へ送出される。
【００３４】
この場合、ＩＰサービスに割り当てられる上下波長はＣＷＤＭ(Coarse Wavelength Division Multiplex)伝送システムの波長帯に属しているため、光源としてＣＷＤＭ用ＬＤおよび合分波器としてＣＷＤＭ用フィルタを利用することができる。
【００３５】
次に、以上のように構成されたシステムによる動作を説明する。  
まず、情報分電盤１１は、住宅ＨＭ内の適当な場所に配置され、そこから部屋Ｒ１〜Ｒ３へ光ネットワーク１４−１〜１４−３が敷設され、その端末にそれぞれの部屋Ｒ１〜Ｒ３で必要な接続機器に対応する光多重／分配器２１−１〜２１−３、光アウトレット２２−１〜２２−３が接続される。
【００３６】
例えば、部屋Ｒ３では、ＩＰ電話機ＩＰＴ及びテレビジョン受像機ＴＶ３を光アウトレット２２−３に接続する。この光アウトレット２２−３では、情報分電盤１１から光ネットワーク１４−３及び光多重／分配器２１−３を介して到来した波長λ３の光信号を電気信号に変換してテレビジョン受像機ＴＶ３に出力する。
【００３７】
また、ＩＰ電話機ＩＰＴとアクセスネットワーク１３上の外部の電話機との間で通信リンクが確立している場合に、光アウトレット２２−３では、情報分電盤１１から光ネットワーク１４−３及び光多重／分配器２１−３を介して到来した波長λ１の光信号をＩＰ電話機ＩＰＴに出力し、ＩＰ電話機ＩＰＴからの波長λ２の光信号を光多重／分配器２１−３及び光ネットワーク１４−３を介して情報分電盤１１に送出する。情報分電盤１１では、波長λ２の光信号をＯＨＴ１１６により一旦電気信号に変換し、ルータ１１５により電気信号に付加されたＩＰ電話機ＩＰＴのＩＰアドレスをルータ１１５自身のＩＰアドレスに変換し、Ｂ−ＯＮＵ１１４により光信号に変換してアクセスネットワーク１３へ送出する。
【００３８】
ここで、従来では、図２に示すように、情報分電盤３１と各部屋Ｒ１〜Ｒ３との間で、放送系とデータ通信系と音声通信系とで別々の通信インフラを敷設する必要があった。このため、情報分電盤３１に、分配器３１１やマルチ接続装置３１２を備えなければならず、システムの構成が大掛かりなものであった。また、各部屋Ｒ１〜Ｒ３に備え付けられるアウトレット４１−１〜４１−３のコネクタ数も増えてしまうことになる。なお、図２において、上記図１と同一部分には同一符号を付し、詳細な説明を省略する。
【００３９】
そこで、本実施形態により、異なる信号フォーマットの信号を同じ光ネットワーク１４−１〜１４−３で共用できるようになった。
【００４０】
そして、新たなサービスを受ける場合、従来は、情報分電盤１１と各部屋Ｒ１〜Ｒ３との間に新たなサービスに対応するケーブルを敷設する必要があったが、本実施形態の場合、光ネットワーク１４−１〜１４−３の端末に設けられた光多重／分配器２１−１〜２１−３、光アウトレット２２−１〜２２−３を新たなサービス用の光多重／分配器及び光アウトレットに交換するだけでよく、光ネットワーク１４−１〜１４−３はそのまま利用できる。
【００４１】
また、光スプリッタ１１１に空きラインがあれば、光ネットワーク１４の追加に容易に対応することができる。
【００４２】
以上のように上記実施形態では、光ネットワーク１４−１〜１４−３上の１本の光ファイバを使用して異なるサービスに係わる複数の光信号を波長分割多重して情報分電盤１１から各部屋Ｒ１〜Ｒ３の光多重分配器２１−１〜２１−３へ伝送するようにしている。
【００４３】
従って、サービスごとの伝送ケーブルを別々に敷設する必要がなく、その分情報分電盤１１と各部屋Ｒ１〜Ｒ３の光多重分配器２１−１〜２１−３との間を接続する伝送ケーブルを減らしてシステムの配線構造を簡素化することができる。これにより、サービスの種類や速度の違いによる配線形態の煩雑さを抑制することができ、さらに施工性の向上と施工コストの削減を実現することができる。また、光ファイバを介して伝送できる波長は無限にあるため、波長数を限定することなく利用することができる。さらに、光スプリッタ１１１を用いているために、ＯＨＴ１１６に組み込まれている発光素子と光スプリッタ１１１までの光ファイバを共有化することにより、システムのコストを削減することができる。
【００４４】
また、上記実施形態では、情報分電盤１１のＯＨＴ１１６において、電気信号を光信号に変換する光源として、ＣＷＤＭ伝送システムで用いられる分布帰還型レーザ(ＤＦＢ−ＬＤ)あるいはファブリ・ペロー型レーザ(ＦＰ−ＬＤ)を利用することができるので、大幅にコスト低減された経済的なシステムを構築することができる。
【００４５】
また、上記実施形態では、情報分電盤１１に、放送信号を電気信号から光信号に変換するＢ−ＯＮＵ１１４を備えるようにしているので、住宅ＨＭに既に備え付けてあるＢＳ／ＣＳ１１０度放送用アンテナ１５、ＶＨＦ用アンテナ１６及びＵＨＦ用アンテナ１７により受信された放送信号を情報分電盤１１にてそのまま取り扱うことが可能となる。
【００４６】
さらに、上記実施形態では、情報分電盤１１において、アクセスネットワーク１３から到来したＩＰサービスの光信号をＢ−ＯＮＵ１１４により一旦電気信号に変換し、ルータ１１５によりパーソナル・コンピュータＰＣ１，ＰＣ２、ＩＰ電話機ＩＰＴへの電気信号に振り分けて、ＯＨＴ１１６により各電気信号を時分割多重して波長λ１の光信号に変換するようにしている。
【００４７】
従って、各パーソナル・コンピュータＰＣ１，ＰＣ２、ＩＰ電話機ＩＰＴへの光信号が同一波長λ１上で時間位置を異ならせて光ネットワーク１４−１〜１４−３上で伝送されることになるので、各パーソナル・コンピュータＰＣ１，ＰＣ２、ＩＰ電話機ＩＰＴ宛の複数のＩＰサービスの光信号が同一時間帯に情報分電盤１１に到来した場合でも、これらのＩＰサービスの光信号の伝送を並行して実行できる。なお、光ネットワーク１４−１〜１４−３からのＩＰ系上りの波長λ２の光信号についても、同様に実施できる。
【００４８】
なお、この発明は上記実施形態に限定されるものではない。例えば、上記実施形態では、情報分電盤１１から各部屋Ｒ１〜Ｒ３へ光ネットワーク１４−１〜１４−３を敷設する例について説明したが、各部屋に複数の光多重／分配器及び光アウトレットを備え付けている場合に、各光多重／分配器ごとに光ネットワークを敷設するようにしてもよい。また、部屋が１部屋しかない住宅の場合には、１本の光ネットワーク１４を敷設するようにしてもよい。さらに、住宅に限らず、企業内や事業所内にも本発明を適用できることももちろんである。
【００４９】
また、上記実施形態では、ＢＳ／ＣＳ１１０度放送用アンテナ１５、ＶＨＦ用アンテナ１６及びＵＨＦ用アンテナ１７により受信された放送信号を情報分電盤１１にて電気信号から光信号に変換する例について説明した。しかしこれに限ることなく、例えば外から他の放送サービスによる光信号を情報分電盤１１に入力するものであってもよい。
【００５０】
また、上記実施形態では、情報分電盤１１のＯＨＴ１１６において、電気信号を光信号に変換する光源として、ＣＷＤＭ伝送システムで用いられる分布帰還型レーザ(ＤＦＢ−ＬＤ)あるいはファブリ・ペロー型レーザ(ＦＰ−ＬＤ)を利用する例について説明したが、これに限ることなく、例えば６５０ｎｍ帯のＤＶＤ用ピックアップ光源、７８０ｎｍ帯のＣＤ用ピックアップ光源、８５０ｎｍ帯のＬＡＮ用光源、特に面発光型レーザ(ＶＣＳＥＬ)といった既存の光源を利用するものであってもよい。
【００５１】
また、上記実施形態では、パーソナル・コンピュータＰＣ１，ＰＣ２、ＩＰ電話機ＩＰＴそれぞれにＯＨＵを備える例について説明したが、光アウトレット２２−１〜２２−３にＯＨＵを備え付けるものであってもよい。このようにすれば、ＯＨＵを備えていないパーソナル・コンピュータやＩＰ電話機であっても簡単に光アウトレット２２−１〜２２−３に接続することができる。
【００５２】
さらに、上記実施形態において、光多重／分配器２１−１〜２１−３及び光アウトレット２２−１〜２２−３として、上記ＩＰサービスや放送サービス以外のサービスにも対応させておき、接続される機器に応じて選択設定できるようにしておくと、汎用性があり、便利である。
【００５３】
その他、システム構成や、情報分電盤の構成、取り扱う光信号の種類等についても、この発明の要旨を逸脱しない範囲で種々変形して実施できる。
【図面の簡単な説明】
【００５４】
【図１】この発明の一実施形態として、住宅内に適用される光ネットワークシステムの構成を示すブロック図。
【図２】従来の情報配線システムを用いた場合の例を示すブロック図。
【符号の説明】
【００５５】
１１,３１…情報分電盤、１２…ブースタ、１３…アクセスネットワーク、１４，１４−１〜１４−３…光ネットワーク、１５…ＢＳ／ＣＳ１１０度放送用アンテナ、１６…ＶＨＦ用アンテナ、１７…ＵＨＦ用アンテナ、１８…Ｕ／Ｖ混合器、１９…屋外キャビネット、２１−１〜２１−３…光多重／分配器、２２−１〜２２−３…光アウトレット、２２ａ…ＩＰ接続用コネクタ、２２ｂ…テレビジョン接続用コネクタ、１１１…光スプリッタ、１１２…Ｖ−ＭＣ、１１３…光分配／多重器、１１４…Ｂ−ＯＮＵ、１１５…ルータ、１１６…ＯＨＴ、３１１…分配器、３１２…マルチ接続装置、４１−１〜４１−３…アウトレット、ＨＭ…住宅、ＰＣ１，ＰＣ２…パーソナル・コンピュータ、ＩＰＴ…ＩＰ電話機、ＴＶ１〜ＴＶ３…テレビジョン受像機。
【図１】
2006295495.tif 000003
【図２】
2006295495.tif 000004